(57)【要約】      （修正有）【課題】製造者の生産と組立加工の手間を軽減し、製品良品率の向上を図るプッシュ式スライドレール開閉構造を提供する。【解決手段】外レールを設け、該外レールには内レール組１と、中レール組とを順次取付け、該内レール組は固定板１１を有し、該固定板の一端の表面に内レール１２を延設し、内レールの表面に滑り溝１２１を凹設し、該内レール上方に横方向にて往復自在の移動ブロック１３を設け、該移動ブロックと内レールとの間に、移動ブロックが２回のプッシュで固定と釈放を行える固定部を設ける。該中レール組には移動ブロックの押し進めにより移動する第１中レールを設け、該第１中レールの内部には摺動延長可能な第２中レールを設け、該第２中レールの移動ブロックは、一端が固定部上方で固定を形成する固定シートに接続されている。内レール組と該中レール組はそれぞれに組立加工した後、外レールに順次組み込む。【選択図】図１
0003154106.tif 000002
【実用新案登録請求の範囲】
【請求項１】
スライドレールに設置される内レール組と、該内レール組に設置される中レール組と、を含む、プッシュ式スライドレール開閉構造であって、
該内レール組は固定板を有し、該固定板の一端表面に内レールを延設し、該内レールの表面に滑り溝を凹設し、該内レールの上方に横方向に弾性移動自在な移動ブロックを設置し、該移動ブロックは中央部の付近場所に縦方向の矩形位置制限穴を設置し、該移動ブロックと該内レールとの間に、該移動ブロックを２回プッシュすることにより該滑り溝にて、固定と釈放を行える固定部を設け、固定部の底面には該滑り溝内にある滑りピンを下向きに延設し、該固定部の表面は固定ピンを上向きに延設し、該固定ピンを該矩形位置制限穴に貫通するとともに、該移動ブロックの表面に露出させ、
該中レール組には該固定板から遠く離れた片側において該移動ブロックを設置し、該中レール組には該移動ブロックの押し進めにより移動される第１中レールを設け、該第１中レールには摺動延長可能な第２中レールを設け、該第２中レールの移動ブロックの近端には固定シートを接続し、該固定シートの横方向断面には、該移動ブロックが固定を形成するときに固定ピンを収納する固定溝を設けていることを特徴とする、プッシュ式スライドレール開閉構造。
【請求項２】
該外レール内には、該内レール組と該中レール組とを設け、該内レール組の固定板は該外レールの一端に設け、該固定板の両側には外レールの内壁と圧迫固定を形成する圧迫ピンを設け、圧迫ピンの末端部に圧迫ピンの外レールへの挿入を容易にする斜面を設けていることを特徴とする、請求項１記載のプッシュ式スライドレール開閉構造。
【請求項３】
該滑り溝には、固定板から遠く離れた片側においてさらに延長溝を設け、該延長溝は固定板の末端部両側に第１滑り溝と第２滑り溝とをそれぞれに延設し、該第１滑り溝と該第２滑り溝の末端部は互いに連通し、該第１滑り溝と該第２滑り溝の間に固定ブロックを設け、該固定ブロックは固定板の近端表面に凹面を設け、該第１滑り溝と該第２滑り溝は連通場所付近に、第１案内面と第２案内面をそれぞれ設けていることを特徴とする、請求項１記載のプッシュ式スライドレール開閉構造。
【請求項４】
該内レールの両側には案内棒をそれぞれ延設し、該案内棒の周縁に弾性素子を設けると共に、該移動ブロックの両側に移動溝を設け、該移動溝は案内棒にて往復移動自在に装入されていることを特徴とする、請求項１記載のプッシュ式スライドレール開閉構造。
【考案の詳細な説明】
【技術分野】
【０００１】
本考案はプッシュ式スライドレール開閉構造に係り、特に一種の２回のプッシュによる循環サイクルのスライドレール開閉構造に関する。
【背景技術】
【０００２】
従来の引き出し式キャビネット及び引き出し等は、様々な収納器具に使用されている。キャビネット引き出し操作の利便性が配慮され、キャビネット体は両側のスライドレールに結合し、定位置摺動自在に使用されている。さらに、該キャビネット体の引き出し操作に安定な閉合を図るため、さらに該スライドレールに緩衝装置が結合されている。該キャビネット体が終段に移動されたとき、該緩衝装置により該キャビネット体に緩衝機能の閉合効果が提供され衝撃の騒音が避けられる。該緩衝装置はさらに、ばね装置と結合して自動引き出し復帰効果を持たせる。
【０００３】
公知技術の緩衝装置は底部レールの先端に緩衝台を設け、該緩衝台の前段に緩衝部材を設けて、後段の上方に滑りブッシュを設け、緩衝部材を滑りブッシュと緩衝台との間に連結することにより、閉合操作のとき、該滑りブッシュを該緩衝台の後段に摺動することにより、該緩衝部材に圧縮緩衝効果を形成し該滑りブッシュを該緩衝台前段の外部接続面にあてがい、緩衝閉合操作を完了する。
【０００４】
しかしながら、前記公知技術は引き出しの緩衝閉合機能を有するものの、該緩衝台前段から該内レールまでに距離があるため、キャビネット体の引き出し距離が制限される。さらに、該スライドレールを組立加工するときに、各部品をそれぞれ底部レールに組立てる必要があるため、組立加工の不便をきたすばかりでなく、組立加工の難度が大きくなり、加工時間も長くなり、製品の良品率低下の原因となる。
【考案の概要】
【考案が解決しようとする課題】
【０００５】
本考案の主な目的は、内レール組と中レール組を先に組立加工してから、順次に外レールに取り付けることにより、製造者の生産と組立加工の手間を軽減し、製品良品率の向上を図ることにある。
【０００６】
本考案の次の目的は、中レール組に取り付ける固定シートにより、スライドレールを閉合するとき、中レール組を内レール組に固定しておき、物体を中レール組に固定するとき、内レール組の制限を受けることなく、常にスライドレールの末端部に近づけさせ、物体の行路を確実に増やすことにある。
【課題を解決するための手段】
【０００７】
前記目的を達成するために、本考案の請求項１は、スライドレールに設置される内レール組と、該内レール組に設置される中レール組と、を含む、プッシュ式スライドレール開閉構造であって、該内レール組は固定板を有し、該固定板の一端表面に内レールを延設し、該内レールの表面に滑り溝を凹設し、該内レールの上方に横方向に弾性移動自在な移動ブロックを設置し、該移動ブロックは中央部の付近場所に縦方向の矩形位置制限穴を設置し、該移動ブロックと該内レールとの間に、該移動ブロックを２回プッシュすることにより滑り溝にて、固定と釈放を行える固定部を設け、固定部の底面には該滑り溝内にある滑りピンを下向きに延設し、該固定部の表面は固定ピンを上向きに延設し、該固定ピンを該矩形位置制限穴に貫通するとともに、該移動ブロックの表面に露出させ、該中レール組には該固定板から遠く離れた片側において移動ブロックを設置し、該中レール組には該移動ブロックの押し進めにより移動される第１中レールを設け、該第１中レールには摺動延長可能な第２中レールを設け、該第２中レールの移動ブロックの一端には固定シートを接続し、該固定シートの横方向断面には、移動ブロックが固定を形成するときに固定ピンを収納する固定溝を設けていることを特徴とするものである。
【０００８】
本考案の請求項２は、請求項１において、該外レール内には、該内レール組と該中レール組とを設け、該内レール組の固定板は該外レールの一端に設け、該固定板の両側には外レールの内壁と圧迫固定を形成する圧迫ピンを設け、該圧迫ピンの末端部に圧迫ピンの外レールへの挿入を容易にする斜面を設けていることを特徴とするものである。
【０００９】
本考案の請求項３は、請求項１において、該滑り溝には、固定板から遠く離れた片側においてさらに延長溝を設け、該延長溝は固定板の末端部両側に第１滑り溝と第２滑り溝とをそれぞれに延設し、該第１滑り溝と該第２滑り溝の末端部は互いに連通し、該第１滑り溝と該第２滑り溝の間に固定ブロックを設け、該固定ブロックは固定板の近端表面に凹面を設け、該第１滑り溝と該第２滑り溝は連通場所付近に、第１案内面と第２案内面をそれぞれ設けていることを特徴とするものである。
【００１０】
本考案の請求項４は、請求項１において、該内レールの両側には案内棒をそれぞれ延設し、該案内棒の周縁に弾性素子を設けると共に、該移動ブロックの両側に移動溝を設け、該移動溝は該案内棒にて往復移動自在に装入されていることを特徴とするものである。
【考案の効果】
【００１１】
イ、本考案による内レール組１と中レール組２をいったん別々に組立てた後、順次に外レール３に取付け、製造者は生産の便利と組立加工時間を短縮できるほか、製品の良品率を向上できる。さらに、内レール組１または中レール組２が破損したときは、破損の部分を外レール３から抜き出して交換するのみでよく、資源の最大利用に貢献できる。
【００１２】
ロ、本考案による固定部１４の設計によると、中レール組２を閉合するときに、中レール組２に設けた固定シート２３は固定部１４に固定され、物体の安定な固定を提供し、物体を第２中レール２２表面に固定するとき、移動ブロック１３の制限を受けず、固定板１１のすぐそばに近付けることができるため、物体の行路は確実に延長される。
【図面の簡単な説明】
【００１３】
【図１】本考案による内レール組の立体外観図である。
【図２】本考案による内レール組の立体分解図である。
【図３】本考案の局所分解立体図である。
【図４】本考案を閉合したときの、内レール付近部の断面図である。
【図５】本考案を閉合したときの、固定シート付近部の断面図である。
【図６】本考案を開放したときの、内レール付近部の断面図である。
【図７】本考案を開放したときの、固定シート付近部の断面図である。
【図８】本考案を開放したときの、内レール付近部の断面図である。
【図９】本考案を開放したときの、固定シート付近部の断面図である。
【考案を実施するための形態】
【００１４】
図１ないし図４を参照する。図において、本考案は主に内レール組１と、中レール組２と、外レール３とを含む。そのうち、該内レール組１は固定板１１を有し、該固定板１１一端の表面を伸ばして内レール１２を設け、該内レール１２の表面に滑り溝１２１を設け、該滑り溝１２１はさらに該固定板１１の遠端に向かって延長溝１２１１を設け、該延長溝１２１１の固定板１１の末端部に近づける両側には、第１滑り溝１２１２と第２滑り溝１２１３とを設け、該第１滑り溝１２１２と第２滑り溝１２１３の末端部は互いに連通する。第１滑り溝１２１２と第２滑り溝１２１３との間に固定ブロック１２２を設け、該固定ブロック１２２は固定板１１の近端表面に凹部１２２１を設け、第１滑り溝１２１２と第２滑り溝１２１３は相互に連通する場所に、第１案内面１２１４と第２案内面１２１５を設ける。該固定板１１の両側は内レール１２と同じ方向に圧迫ピン１５を設け、該圧迫ピン１５の末端部に斜面１５１を設ける。該固定板１１の内レール１２の両側には、内レール１２と同じ方向に案内棒１６を設け、該案内棒１６の周縁に弾性素子１６１を装入する。該２本の案内棒１６の間には移動ブロック１３を設け、該移動ブロック１３の両側に移動溝１３２を設ける。該移動ブロック１３の中央部適切場所に縦方向の矩形位置制限穴１３１を設け、該移動溝１３２は該案内棒１６に装入し、案内棒１６にて往復移動するときに弾性素子１６１を移動し弾性変形を形成する。該移動ブロック１３と内レール１２との間に固定部１４を設け、該固定部１４の底面は下方に伸ばして移動溝１２１内部に滑りピン１４１を設け、該固定部１４の表面は固定ピン１４２を上方に伸ばして設け、該固定ピン１４２は矩形位置制限穴１３１を通して移動ブロック１３の表面に露出させる。
【００１５】
該中レール組２は第１中レール２１を設け、該第１中レール２１の内部に該第１中レール２１に摺動延長可能な第２中レール２２を設け、該第２中レール２２の表面は、物体(図示しない)との接続に提供する。該第２中レール２２の一端に固定シート２３に接続し、該固定シート２３の一端の横方向に固定溝２３１を設ける。
【００１６】
それにより、本考案を組立加工するとき、まず外レール３を用意し、中レール組２ごと外レール３に貫き、中レール組２に備える固定シート２３を貫入場所に向かわせて、内レール組１を中レール組２の貫入場所より外レール３に貫いて、内レール組１に備える固定板１１を外レール３一端の周縁に固定する。固定板１１が外レール３一端の周縁に接近したとき、該固定板１１両側の圧迫ピン１５の末端部に設けた斜面１５１は先に外レール３の内側壁に接触し、斜面１５１により、２本の圧迫ピン１５はたやすく外レール３に装入する。一方、圧迫ピン１５を外レール３へ完全に挿入したとき、圧迫ピン１５は外レール３の内壁と密着し、固定板１１を外レール３に安定固定し、本考案の組立加工を完了する。
【００１７】
引き続き図４と図５を参照する。図において、本考案を閉合するとき、該固定部１４の滑りピン１４１は固定ブロック１２２の凹面１２２１に固定される。固定部１４の固定ピン１４２は移動ブロック１３の位置制限穴１３１を貫くことにより、移動ブロック１３を固定板１１に近づけさせると共に、弾性素子１６１に弾性変形を形成させ、固定ピン１４２は固定シート２３の横断面に設ける固定溝２３１の移動ブロック１３より露出させ、第２中レール２２を固定板１１の離れた方向に移動できないようにして、第２中レール２２表面に接続する部材(図示しない)の固定を形成する。
【００１８】
図６ないし９を参照する。図において、使用者が、第２中レール２２表面に接続された物体(図示しない)を固定板１１の方向に引き出すときは、まず物体を固定板１１の方に移動させる。このとき、該固定シート２３が第２中レール２２に連結されているため、固定板１１に向かって引き出し移動する。これに対して、固定ピン１４２は固定溝２３１に設けているため、固定溝２３１も併せて固定部１４を移動させ、固定部１４が移動ブロック１３の移動を連動して、固定部１４が移動すると同時に、該固定部１４の底面に設けた滑りピン１４１は、滑り溝１２１に設けた第１案内面１２１４に接触することにより、該第１案内面１２１４の案内に従い、第１滑り溝１２１２に滑り込む。使用者はこのときに物体を釈放できる。一方、弾性素子１６１が弾性変形により弾性復位力量を形成して、滑りピン１４１は凹面１２２１を引き離して第１滑り溝１２１２に進入し、移動ブロック１３を固定板１１の遠方に移動する。移動ブロック１３が移動するときに、第１中レール２１の移動を協働し、固定部１４の固定ピン１４２より第２中レール２２を協働させる(図６と図7に示す)。さらに、固定部１４に設けた滑りピン１４１を第１滑り溝１２１２より延長溝１２１１に伸ばしたとき、該固定部１４表面の固定ピン１４２は第１滑り溝１２１２と延長溝１２１１との段差により固定溝２３１から脱出する。このとき、中レール組２の第２中レール２２は固定シート２３の制限を受けることなく、固定板１１の遠方方向に移動し続け、使用者による物体の開放や釈放を提供する。
【００１９】
図８と図９を合わせて参照する。使用者が物体を固定板１１付近部に固定したいときには、物体を固定板１１に移動することにより、第２中レール２２は物体に追随して固定板１１の位置に移動される。一方、第２中レール２２が移動するとき、該固定シート２３は固定部１４の固定ピン１４２を推し進めて、固定部１４により移動ブロック１３を固定板１１の位置に移動する。このとき、該固定部１４の滑りピン１４１は延長溝１２１１から第２滑り溝１２１３に進入すると共に、該滑りピン１４１が第２滑り溝１２１３側壁に設けた第２案内面１２１５に接触したとき、第２案内面１２１５の案内により位置をずらして、固定部１４の固定ピン１４２を固定シート２３の固定溝２３１に移動すると共に、弾性素子１６１が弾性変形を引き起こす。そして、使用者が物体を手放した後、該弾性素子１６１による復位力量は移動ブロック１３を推し進めて固定板１１の場所に移動し、移動ブロック１３を固定部１４の遠端に移動することにより、滑りピン１４１は固定ブロック１２２の凹面１２２１に進入して固定される(図４と図５に示す)。それに伴い、使用者は物体の引き出しまたは押し入れの繰り返し操作ができる。
【符号の説明】
【００２０】
１            内レール組
１１          固定板
１２          内レール
１２１        滑り溝
１２１１      延長溝
１２１２      第１滑り溝
１２１３      第２滑り溝
１２１４      第１案内面
１２１５      第２案内面
１２２        固定ブロック
１２２１      凹面
１３          移動ブロック
１３１        矩形位置制限穴
１３２        移動溝
１４          固定部
１４１        滑りピン
１４２        固定ピン
１５          圧迫ピン
１５１        斜面
１６          案内棒
１６１        弾性素子
２            中レール組
２１          第１中レール
２２          第２中レール
２３          固定シート
２３１        固定溝
３            外レール
【図１】
0003154106.tif 000003
【図２】
0003154106.tif 000004
【図３】
0003154106.tif 000005
【図４】
0003154106.tif 000006
【図５】
0003154106.tif 000007
【図６】
0003154106.tif 000008
【図７】
0003154106.tif 000009
【図８】
0003154106.tif 000010
【図９】
0003154106.tif 000011
【手続補正書】
【提出日】平成21年7月23日(2009.7.23)
【手続補正１】
【補正対象書類名】実用新案登録請求の範囲
【補正対象項目名】全文
【補正方法】変更
【補正の内容】
【実用新案登録請求の範囲】
【請求項１】
スライドレールに設置される内レール組と、該内レール組に設置される中レール組と、を含む、プッシュ式スライドレール開閉構造であって、
該内レール組は固定板を有し、該固定板の一端表面に内レールを延設し、該内レールの表面に滑り溝を凹設し、該内レールの上方に横方向に弾性移動自在な移動ブロックを設置し、該移動ブロックは中央部の付近場所に縦方向の矩形位置制限穴を設置し、該移動ブロックと該内レールとの間に、該移動ブロックを２回プッシュすることにより該滑り溝にて、固定と釈放を行える固定部を設け、固定部の底面には該滑り溝内にある滑りピンを下向きに延設し、該固定部の表面は固定ピンを上向きに延設し、該固定ピンを該矩形位置制限穴に貫通するとともに、該移動ブロックの表面に露出させ、
該中レール組には該固定板から遠く離れた片側において該移動ブロックを設置し、該中レール組には該移動ブロックの押し進めにより移動される第１中レールを設け、該第１中レールには摺動延長可能な第２中レールを設け、該第２中レールの移動ブロックの近端には固定シートを接続し、該固定シートの横方向断面には、該移動ブロックが固定を形成するときに固定ピンを収納する固定溝を設けていることを特徴とする、プッシュ式スライドレール開閉構造。
【請求項２】
外レールをさらに設け、該外レール内には、該内レール組と該中レール組とを設け、該内レール組の固定板は該外レールの一端に設け、該固定板の両側には外レールの内壁と圧迫固定を形成する圧迫ピンを設け、圧迫ピンの末端部に圧迫ピンの外レールへの挿入を容易にする斜面を設けていることを特徴とする、請求項１記載のプッシュ式スライドレール開閉構造。
【請求項３】
該滑り溝には、固定板から遠く離れた片側においてさらに延長溝を設け、該延長溝は固定板の末端部両側に第１滑り溝と第２滑り溝とをそれぞれに延設し、該第１滑り溝と該第２滑り溝の末端部は互いに連通し、該第１滑り溝と該第２滑り溝の間に固定ブロックを設け、該固定ブロックは固定板の近端表面に凹面を設け、該第１滑り溝と該第２滑り溝は連通場所付近に、第１案内面と第２案内面をそれぞれ設けていることを特徴とする、請求項１記載のプッシュ式スライドレール開閉構造。
【請求項４】
該内レールの両側には案内棒をそれぞれ延設し、該案内棒の周縁に弾性素子を設けると共に、該移動ブロックの両側に移動溝を設け、該移動溝は案内棒にて往復移動自在に装入されていることを特徴とする、請求項１記載のプッシュ式スライドレール開閉構造。
【手続補正２】
【補正対象書類名】明細書
【補正対象項目名】０００８
【補正方法】変更
【補正の内容】
【０００８】
本考案の請求項２は、請求項１において、外レールをさらに設け、該外レール内には、該内レール組と該中レール組とを設け、該内レール組の固定板は該外レールの一端に設け、該固定板の両側には外レールの内壁と圧迫固定を形成する圧迫ピンを設け、該圧迫ピンの末端部に圧迫ピンの外レールへの挿入を容易にする斜面を設けていることを特徴とするものである。